(57)【要約】      （修正有）【課題】安定感のあるコップを使用し、飲料水等が入った缶、耐熱型のペットボトル等を安価で効率よく、かつ安全に温められることが出来る、携帯用簡易加熱器を提供する。【解決手段】加水型発熱剤、水及び被加熱物を容器内に入れて加水型発熱剤を発熱させて前記被加熱物を加熱する加熱器において、容器として、紙コップ１を使用し、紙コップ１の開口部に、上面が開口した略円筒状のキャップ２を被せ、紙コップ１内に加水型発熱剤、水及び缶Ｂを入れて加水型発熱剤を発熱させて缶Ｂを加熱する際、キャップ２の上面開口部２ａ内周縁と缶Ｂの外周面とが近接しており、かつ紙コップ１の内周面と缶Ｂの外周面との間に間隙を設けた。【選択図】図１
0003132029.tif 000002
【実用新案登録請求の範囲】
【請求項１】
加水型発熱剤、水及び被加熱物を容器内に入れて当該加水型発熱剤を発熱させて前記被加熱物を加熱する加熱器において、
前記容器として、紙製又はプラスチック製のコップを使用し、当該コップの開口部に、上面が開口した略円筒状のキャップを被せ、前記コップ内に前記加水型発熱剤、水及び被加熱物を入れて当該加水型発熱剤を発熱させて前記被加熱物を加熱する際、前記キャップの上面開口部内周縁と前記被加熱物の外周面とが近接しており、かつ前記コップの内周面と前記被加熱物の外周面との間に間隙を設けたことを特徴とする、携帯用簡易加熱器。
【請求項２】
前記キャップの円筒状の側面を上部へ行くほど狭くなるテーパー状としたことを特徴とする、前記請求項１に記載の携帯用簡易加熱器。
【請求項３】
前記キャップの上面の開口部の内周縁を内側に一定長突出させた突縁としたことを特徴とする、前記請求項１又は２の何れかに記載の携帯用簡易加熱器。
【請求項４】
前記加水型発熱剤の発熱量と前記キャップの上面開口部の大きさを相関させて、夫々の大きさを決定したことを特徴とする、前記請求項１、２又は３の何れかに記載の携帯用簡易加熱器。
【請求項５】
前記キャップ及び前記容器を一体に設けたことを特徴とする、前記請求項１、２、３又４の何れかに記載の携帯用簡易加熱器。
【考案の詳細な説明】
【技術分野】
【０００１】
この発明は、屋内外において、また、災害時等で、湯茶用、乳幼児のミルク用などの飲料水、また、旅行やスポーツ観戦等の際の酒類等の飲食物の加熱等が出来、また、簡単に持ち運びできる、携帯用簡易加熱器に関するものである。
【背景技術】
【０００２】
従来、特に、屋外において、ハイキングなどで、コーヒー用の湯を沸かしたり、インスタント麺用の湯を沸かすことは日常茶飯事として行われている。また、冬場、屋外で、暖めた酒類を飲みながら、スポーツ観戦をするということもよく見られる光景である。
【０００３】
また、地震などの災害の被害の大きい時には、電気、ガス、及び水道などのライフラインの供給が停止され、通常の生活が出来なくなる。この様な災害時であっても、乳幼児のミルクを作る湯を沸かすことは必要であり、また、この様な時に、特に冬場に、被害に遭われた方たちに温かい湯茶等を提供することは、被害者にとって心身共に癒され、喜ばれることとなる。
【０００４】
一方、お燗機能付カップ酒は、当該カップに、石灰に水をかけると高熱が出ることを利用したり、その他の発熱剤を反応させたりする機能付であるが、これらは夫々の商品に一体に設けられており、汎用性が乏しい。
【０００５】
また、弁当や日本酒等の液状食品を加熱調理容器に封入し、この加熱調理容器に組み込まれた加熱装置である発熱剤によって、前記弁当や日本酒等を温めるというものはある。これらの発熱剤としては、化学物質の発熱反応、例えば、酸化物に対する水の添加反応を利用するものなどが使用されている。さらに、薄型の発熱体をシートの一面に取り付けて、被加熱物の外周に巻きつけるというものがある。
【特許文献１】特開２００３−３４２５５８号公報
【特許文献２】実用新案登録第３１０９１３６号公報
【考案の開示】
【考案が解決しようとする課題】
【０００６】
しかしながら、前者のものは、発熱剤に関する発明であって、この発熱剤を使用して弁当や日本酒等を温める際、加熱調理容器又はそれに代わるものを別途用意する必要がある。平常時なら、これらのものを用意することは容易であるが、災害時には容易でなく、例え、用意できたとしても時間がかかるものと推測される。また、後者のものでは、被加熱物の外形に凹凸があった場合や被加熱物がそれ自身では立設出来ないものの場合、また、立設出来ても不安定なものの場合、加熱にむらが出来、安定した加熱が出来ず、充分な効果が期待出来ない。
【０００７】
そんな中、多くの人が日常的に飲料水等が入った３５０ｃｃ又は５００ｃｃの縦長の耐熱型のペットボトルをスーパーやコンビニで頻繁に購入し使用している。これらのペットボトルは頑強であって、少々のことでは壊れず、また、開閉自在なキャップが付いているので、飲料水等の持ち運びや保存には最適なものである。よって、この様な耐熱型のペットボトルや缶等を簡単に温めることが出来る携帯用簡易加熱器があれば、屋外活動時や災害時等に大いに利用価値があるものとなる。
【０００８】
そこで、この発明は、安定感のあるコップを使用し、飲料水等が入った缶、耐熱型のペットボトル等を安価で効率よく、かつ安全に温められることが出来る、携帯用簡易加熱器を提供することにより前記課題を解決するものである。
【課題を解決するための手段】
【０００９】
請求項１の発明は、加水型発熱剤、水及び被加熱物を容器内に入れて当該加水型発熱剤を発熱させて前記被加熱物を加熱する加熱器において、前記容器として、紙製又はプラスチック製のコップを使用し、当該コップの開口部に、上面が開口した略円筒状のキャップを被せ、前記コップ内に前記加水型発熱剤、水及び被加熱物を入れて当該加水型発熱剤を発熱させて前記被加熱物を加熱する際、前記キャップの上面開口部内周縁と前記被加熱物の外周面とが近接しており、かつ前記コップの内周面と前記被加熱物の外周面との間に間隙を設けた携帯用簡易加熱器とした。
【００１０】
請求項２の発明は、前記キャップの円筒状の側面を上部へ行くほど狭くなるテーパー状とした前記請求項１に記載の携帯用簡易加熱器とした。また、請求項３の発明は、前記キャップの上面の開口部の内周縁を内側に一定長突出させた突縁とした前記請求項１又は２の何れかに記載の携帯用簡易加熱器とした。
【００１１】
請求項４の発明は、前記加水型発熱剤の発熱量と前記キャップの上面開口部の大きさを相関させて、夫々の大きさを決定した前記請求項１、２又は３の何れかに記載の携帯用簡易加熱器とした。また、請求項５の発明は、前記キャップ及び前記容器を一体に設けた前記請求項１、２、３又４の何れかに記載の携帯用簡易加熱器とした。
【考案の効果】
【００１２】
請求項１、２、３、４又は５の各発明によれば、容器として、紙製又はプラスチック製のコップを使用するので、元来コップは安定感があるとの概念を有するため、これと相俟って見た目にも極めて安定感があり、安心して使用出来るものである。また、実際、これらのコップはテーブル等に載置する目的のため、構造的にも安定性がある。また、この様なコップは、入手が容易であり、安価で簡単な構成の携帯用簡易加熱器を容易に得ることが出来る。これにより、広く、多くの人々の手に渡りやすい携帯用簡易加熱器を提供することが出来る。
【００１３】
その結果、屋外等において、適宜の水を加えれば容易に飲料水や食料の入った耐熱性のペットボトルや、ビン、缶、哺乳瓶等を安全に安定して温めることが出来る。また、火を使用しないので、火気厳禁の場所でも安心して使用することが出来る。
【００１４】
また、容器としてのコップは、加熱時、内部は前記加熱剤で加熱されているが、テーブル等の適宜の場所に置いて加熱するため、人が手を触れる必要も無く、安全である。
【００１５】
また、前記効果に加え、請求項１の発明によれば、前記キャップの上面開口部内周縁と前記被加熱物の外周面とが近接しており、かつ前記コップの内周面と前記被加熱物の外周面との間に間隙を確保したので、また、請求項２の発明によれば、前記キャップの円筒状の側面を上部へ行くほど狭くなるテーパー状としたので、さらに、請求項３の発明によれば、前記キャップの上面の開口部の内周端縁を内側に一定長突出させて突縁状としたので、容器内に被加熱物を挿入した際、キャップの上面開口部の内周縁と被加熱物の外周面との隙間が狭くなり、発熱剤から発生する水蒸気が容器外へ逃げ難く、また、外部からの冷気も入り難く、この容器内で対流して水蒸気の損失を軽減出来、熱効率を高め、延いては、加熱性能を高める。また、この様に、コップの上面開口部の内周縁と被加熱物の外周面との間隙が狭いため、容器の中から水蒸気が噴出したり、水がこぼれたりし難く、万一、容器が倒れても周囲に多くの水がこぼれることがなく、安全である。
【００１６】
また、前記効果に加え、請求項４の発明によれば、前記加水型発熱剤の発熱量と前記キャップの開口部の大きさを相関させて、夫々の大きさを決定したので、例えば、発熱剤１０ｇの場合、キャップの開口部の径を５８〜６７ｍｍとして、容量２００ｃｃの缶やぺットボトルの加熱用とし、発熱剤２０ｇの場合、キャップの開口部の径を６８〜７５ｍｍとして、容量３５０ｃｃの缶やぺットボトルの加熱用などとして、被加熱物である缶やぺットボトルを過不足無く、効率よく確実に加熱出来るようにした。
【００１７】
請求項５の発明は、前記キャップ及び前記容器を一体に設けたので、別途容器を用意する必要が無い、そのため、簡単にこの携帯用簡易加熱器を設けることが出来、便利である。
【考案を実施するための最良の形態】
【００１８】
加水型発熱剤、水及び被加熱物を容器内に入れて当該加水型発熱剤を発熱させて前記被加熱物を加熱する加熱器において、前記容器として、紙製又はプラスチック製のコップを使用し、当該コップの開口部に、上面が開口した略円筒状のキャップを被せ、前記コップ内に前記加水型発熱剤、水及び被加熱物を入れて当該加水型発熱剤を発熱させて前記被加熱物を加熱する際、前記キャップの上面開口部内周縁と前記被加熱物の外周面とが近接しており、かつ前記コップの内周面と前記被加熱物の外周面との間に間隙を設けたので、見た目にも極めて安定感があり、安心して使用出来るものである。また、実際、これらのコップはテーブル等に載置する目的のため、構造的にも安定性がある。
【実施例】
【００１９】
以下、この発明の実施例を図に基づいて説明する。
図１はこの発明の携帯用簡易加熱器（以下、単に『加熱器』と言う）を使用して被加熱物を加熱している状態を示す斜視図であり、図２はこの発明の加熱器のキャップを示す斜視図である。図３はこの発明の加熱器の紙コップの中に加水型発熱剤を投入している状態を示す断面図であり、図４はこの発明の加熱器の紙コップの底部に加水型発熱剤を載置した状態を示す断面図である。図５はこの発明の加熱器の紙コップの上面開口部にキャップを被せ、当該キャップの上面開口部から水を入れている状態を示す断面図であり、図６はこの発明の加熱器を使用して被加熱物を加熱している状態を示す断面図である。
【００２０】
この実施例の加熱器Ａは、図１及び図６に示すように、被加熱物である缶Ｂの半分以上を収容できる大きさの紙コップ１、この紙コップ１の上面開口部１ａに被せられるキャップ２、略扁平な透水性の袋３ａに入れた加水型発熱剤３、及び水４を入れた水袋４ａの４つの部材から構成されている。
【００２１】
前記紙コップ１としては、既存の一般に市販されているもの使用する。また、前記キャップ２としては、図２に示すように、耐熱性プラスチックから成り、透明な円筒形状であって、上面の開口部２ａの内周端縁を内側に若干突出させて突縁２ｂとし、側面は上部へ行くほど狭くなるテーパー状に形成しており、さらに、下部の外周端縁に環状の係止段部２ｃを設け、紙コップ１の上面開口部１ａにこのキャップ２を被せた際、外れ難くなっている。
【００２２】
前記略扁平な透水性の袋３ａに入れた加水型発熱剤３は、粉体生石灰（ＣａＯ）と粉体アルミニウム（Ａｌ）を総重量当り１〜２：１〜２の割合の範囲で混合して形成されたものである。ここでは、株式会社エルダイン製の発熱剤を使用する（特開２００３−３４２５５８号公報参照）。この発熱剤は、約９０°Ｃ〜１００°Ｃの温度を少なくとも２０分間維持できるように温度制御及び時間制御されている。また、これらの粉体生石灰と粉体アルミニウムを入れる袋３ａは透水性のものを使用している。
【００２３】
さらに、前記水４を入れた水袋４ａは、前記加水型発熱剤３の中の粉体生石灰と反応させることにより、発熱してアルミン酸カルシウムを生成するものである。ここでは、株式会社菅原冷蔵社製の水袋の水を触媒水として使用するが、この水は、塩水以外ならば、水道水の他、池水、川水、雨水等なんでも良い。使用する水量としては、発熱剤の重量の３倍以下で良いが、２倍量相当が適量である。
【００２４】
次に、この加熱器Ａの使用の仕方を説明する。まず、紙コップ１、キャップ２、扁平な袋３ａに入れた加水型発熱剤３及び前記加水型発熱剤３に見合った量の水４を入れた水袋４ａをワンセットにしたものを用意する。
【００２５】
そして、この中から、紙コップ１を取り出し、この紙コップ１を、扁平な場所に立て、図３及び図４に示すように、この紙コップ１の上面開口部１ａから前記加水型発熱剤３の入った袋３ａを投入して紙コップ１の内部の底面に載置し、キャップ２をこの上面開口部１ａに被せる。そして、図５に示すように、前記水袋４ａを破ってキャップ２の上面開口部２ａから紙コップ１内に水４を入れ、前記加水型発熱剤３を発熱させる。その後、図１及び図６に示すように、被加熱物である飲料水用の缶Ｂをキャップ２の上面開口部２ａから挿入し、加水型発熱剤３の上に載置し、立設する。
【００２６】
紙コップ１内に入れられた水４により、加水型発熱剤３の中の粉体生石灰と水４が反応して第１発熱反応が起こり、アルミン酸カルシウムを生成し、この生成されたアルミン酸カルシウムと加水型発熱剤３の中の粉体アルミニウムが反応して第２発熱反応が起こり、加水型発熱剤３は発熱し、図６に示すように、紙コップ１内は水蒸気Ｃで満たされ、この水蒸気Ｃと共に前記缶Ｂは加熱される。この様に、紙コップ１の内周面と缶Ｂの外周面との間には水蒸気Ｃが満たされる間隙を有している。
【００２７】
この時、キャップ２の側面がテーパー状に設けられ、また、キャップ２の開口部２ａ内の突縁２ｂにより、当該開口部２ａの内周縁と缶Ｂの外周面との隙間が狭くなり、前記水蒸気Ｃは外部に排出され難くなり（図６参照）、この紙コップ１内において対流することになる。しかも、外部から冷気が入ってくる可能性も低く、外部から受ける熱損失の影響を遮断できる。これにより、この紙コップ１内で水蒸気Ｃの損失を軽減出来、熱効率を高め、延いては、加熱性能を高めることが出来る。また、当該キャップ２の開口部２ａの内周縁と缶Ｂの外周面との隙間が狭くなっているため、万一、当該加熱器Ａが倒れた場合でも、内部の水がこぼれにくく、安全である。
【００２８】
この缶Ｂが３５０ｃｃの容量の場合には、６〜７分でおよそ５２℃まで上昇し、飲み頃となる。また、この状態で約１５分間加熱することが出来る。さらに、この時、紙コップ１の外周は内部の缶Ｂに対しては保温効果を有して効率よく加熱が行われる。
【００２９】
また、この時、前記加水型発熱剤３の発熱量と前記キャップ２の開口部２ａの大きさを相関させて、夫々の大きさを決定したものを使用することが出来る。例えば、発熱剤１０ｇの場合、キャップ２の開口部２ａの径を５８〜６７ｍｍとして、容量２００ｃｃの缶の加熱用とする。また、発熱剤２０ｇの場合、キャップ２の開口部２ａの径を６８〜７５ｍｍとして、容量３５０ｃｃの缶の加熱用などとする。これにより、被加熱物である缶やぺットボトルを過不足無く、効率よく確実に加熱することが出来る。
【００３０】
これらの加熱器Ａを使用すれば、裸火の使用が禁止される都会型の災害緊急時や、緊急に少量のものの加熱を行いたい場合に使用できる。例えば、授乳用ミルクの加熱、湯茶用の加熱、その他の飲料の加熱、さらに、前記缶Ｂに代えて、濡れタオルを耐熱性の袋に入れて加熱した蒸しタオルの作成、また、具を温めるだけの簡単な調理等も行うことが出来る。勿論これらに限らず、他の多くの目的に使用することが出来る。
【００３１】
前記実施例においては、紙コップ１としては、素材は何でも良く、二重の紙のもの、また、エンボス加工を施してエアー層を形成し、高い断熱性を持たせたもの、さらに、紙コップ１に代えて耐熱性プラスチックコップを使用することも出来る。また、キャップ２の下部の外周端縁に係止段部２ｃを設けているが、この係止段部２ｃはなくてもよい。
【００３２】
また、前記実施例では、紙コップ１の中に加水型発熱剤３を投入した後に、キャップ２を当該紙コップ１の開口部１ａに被せているが、キャップ２を紙コップ１の開口部１ａに被せた後に、キャップ２の開口部２ａから加水型発熱剤３を当該紙コップ１内に投入するようにしてももちろん良い。紙コップ１とキャップ２を一体に形成したものの場合、この後者のかたちとなる。
【００３３】
さらに、加水型発熱剤３により制御した温度を約９０°Ｃ〜１００°Ｃとしているが、制御する温度はこれに限らず、所望の温度にすれば良い。よって、缶やペットボトル等の加熱に際して、加水型発熱剤３により制御したい温度が高すぎると判断したときは、これらの温度をもっと低い温度に設定すれば良い。
【００３４】
さらに、加水型発熱剤３として、粉体生石灰と粉体アルミニウムから成る株式会社エルダイン製の加水型発熱剤を使用しているが、加水型発熱剤３としては、これに限定されるものではなく、加水型の発熱剤であれば何でも良い。また、この加水型発熱剤３は透水性の袋３ａに入っているが、加熱器の使用時に、袋３ａから取り出して、紙コップＡ内に加水型発熱剤３のみを入れても良い。
【００３５】
また、水４を入れた水袋４ａとして、株式会社菅原冷蔵社製の水袋を使用しているが、この水もこれに限定するものではなく、本願の効果を奏するものであればよい。また、前記実施例では、前記加水型発熱剤３に見合った量の水４を入れた水袋４ａを、紙コップ１、キャップ２及び加水型発熱剤３と合わせてワンセットとしているが、これに限らず、紙コップ１、キャップ２及び加水型発熱剤３とで当該加熱器Ａを構成し、水４は別途、適宜調達する構成とすることも出来る。特にその場合、加水型発熱剤３の量及び所定の加熱温度に見合った量の水の量を表示しておくと良い。
【００３６】
また、この実施例では、図１及び図６に示すように、加熱器Ａに缶Ｂを入れた際、缶Ｂの上部が加熱器Ａ上部のキャップ２の上面開口部２ａからやや突出したものとしているが、缶Ｂの略全部が加熱器Ａ内に収納されるものでも良く、また、これらに限らず、缶Ｂの上部が前記よりもさらにキャップ２の上面開口部２ａより突出させたり、また、キャップ２の上面開口部２ａよりやや下方に缶Ｂの上部を位置させたものでも同様の効果を有する。
【００３７】
前記実施例では、略円筒状のキャップ２の側面をテーパー状としたが、これに限らず、キャップ２の側面をテーパー状に形成せず、略垂直に立設し、円筒状のキャップ２の上縁を内側に一定長突出させた突縁を設け、この突縁の内周縁内を上面開口部としてもよい。
【図面の簡単な説明】
【００３８】
【図１】図１はこの考案の加熱器を使用して被加熱物を加熱している状態を示す斜視図である。
【図２】図２はこの考案の加熱器のキャップを示す斜視図である。
【図３】図３はこの考案の加熱器の紙コップの中に加水型発熱剤を投入している状態を示す断面図である。
【図４】図４はこの考案の加熱器の紙コップの底部に加水型発熱剤を載置した状態を示す断面図である。
【図５】図５はこの考案の加熱器の紙コップの上面開口部にキャップを被せ、当該キャップの上面開口部から水を入れている状態を示す断面図である。
【図６】図６はこの考案の加熱器を使用して被加熱物を加熱している状態を示す断面図である。
【符号の説明】
【００３９】
Ａ    携帯用簡易加熱器      Ｂ    缶
Ｃ    水蒸気
１    紙コップ                １ａ  開口部
２    キャップ                ２ａ  開口部
２ｂ  突縁                    ２ｃ  係止段部
３    加水型発熱剤            ３ａ  袋
４    水                      ４ａ  水袋
【図１】
0003132029.tif 000003
【図２】
0003132029.tif 000004
【図３】
0003132029.tif 000005
【図４】
0003132029.tif 000006
【図５】
0003132029.tif 000007
【図６】
0003132029.tif 000008